【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
ダクトにファンユニットを取り付けてなる排気装置において、
画像形成装置本体内で前記ダクトを画像形成装置本体内の構造体により吊り下げて支持することを特徴とする、排気装置。
【請求項２】
前記ダクトに、前記構造体に取り付けるための取付部と、他部材に押し当てて固定するための弾性固定部とを有し、前記取付部に、頂部から立ち上げた起立部と、その先端を押し曲げて形成した折曲部とを備えることを特徴とする、請求項１に記載の排気装置。
【請求項３】
前記ダクトを、樹脂材料を用いて一体成形でつくることを特徴とする、請求項１または２に記載の排気装置。
【請求項４】
前記ダクトが、そのダクト内で前記ファンユニットを弾性保持するための弾性保持部を有することを特徴とする、請求項１、２、または３に記載の排気装置。
【請求項５】
前記ファンユニットのハーネスに取り付けたコネクタを前記ダクトで保持することを特徴とする、請求項１、２、３、または４に記載の排気装置。
【請求項６】
画像形成装置本体内で前記取付部と前記弾性固定部とで固定して前記ダクトを空中に浮かした状態で支持することを特徴とする、請求項２、３、４、または５に記載の排気装置。
【請求項７】
請求項１、２、３、４、５、または６に記載の排気装置を備えることを特徴とする、画像形成装置。
【手続補正２】
【補正対象書類名】明細書
【補正対象項目名】０００７
【補正方法】変更
【補正の内容】
【０００７】
そこで、この発明の第１の目的は、画像形成装置の排気装置において、排気ファンの振動が伝わることを防いで騒音の発生を極力押さえることにある。
【手続補正３】
【補正対象書類名】明細書
【補正対象項目名】０００９
【補正方法】変更
【補正の内容】
【０００９】
この発明の第３の目的は、加えて、ダクトの組付けに必要な部品をできるだけ一体化してさらに部品点数を削減するとともに、ダクトの組付けを簡単として、コストダウンを図ることにある。
【手続補正４】
【補正対象書類名】明細書
【補正対象項目名】００１３
【補正方法】変更
【補正の内容】
【００１３】
このため、請求項１に係る発明は、上記第１の目的を達成すべく、ダクトにファンユニットを取り付けてなる排気装置において、画像形成装置本体内でダクトを画像形成装置本体内の構造体により吊り下げて支持する、ことを特徴とする。
【手続補正５】
【補正対象書類名】明細書
【補正対象項目名】００１４
【補正方法】変更
【補正の内容】
【００１４】
請求項２に係る発明は、上記第２の目的を達成すべく、請求項１に記載の排気装置において、ダクトに、構造体に取り付けるための取付部と、他部材に押し当てて固定するための弾性固定部とを有し、取付部に、頂部から立ち上げた起立部と、その先端を押し曲げて形成した折曲部とを備える、ことを特徴とする。
【手続補正６】
【補正対象書類名】明細書
【補正対象項目名】００１５
【補正方法】変更
【補正の内容】
【００１５】
請求項３に係る発明は、上記第３の目的を達成すべく、請求項１または２に記載の排気装置において、ダクトを、樹脂材料を用いて一体成形でつくる、ことを特徴とする。
【手続補正７】
【補正対象書類名】明細書
【補正対象項目名】００１６
【補正方法】変更
【補正の内容】
【００１６】
請求項４に係る発明は、上記第４の目的を達成すべく、請求項１、２、または３に記載の排気装置において、ダクトが、そのダクト内でファンユニットを弾性保持するための弾性保持部を有する、ことを特徴とする。
【手続補正８】
【補正対象書類名】明細書
【補正対象項目名】００１８
【補正方法】変更
【補正の内容】
【００１８】
請求項６に係る発明は、上記第１の目的を達成すべく、請求項２、３、４、または５に記載の排気装置において、画像形成装置本体内で取付部と弾性固定部とで固定してダクトを空中に浮かした状態で支持する、ことを特徴とする。
請求項７に係る発明は、上記第６の目的を達成すべく、画像形成装置において、請求項１、２、３、４、５、または６に記載の排気装置を備えてなる、ことを特徴とする。
【手続補正９】
【補正対象書類名】明細書
【補正対象項目名】００１９
【補正方法】変更
【補正の内容】
【００１９】
請求項１に係る発明によれば、画像形成装置本体内でダクトを画像形成装置本体内の構造体により吊り下げて支持するから、画像形成装置の排気装置において、排気ファンの振動が画像形成装置本体に伝わることを防いで、騒音の発生を極力押さえることができる。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
請求項２に係る発明によれば、ダクトに、画像形成装置本体内の構造体に取り付けるための取付部を有するから、加えて、排気ファンを画像形成装置本体内でダクトを介してしっかりと固定し、騒音の発生をより一層防止することができる。加えて、ダクトに、画像形成装置本体内で他部材に押し当てて固定するための弾性固定部を有するから、ダクトの組付けに用いるねじ等の締結部材も少なくして一層部品点数を削減するとともに、ダクトの組付けを簡単として、コストダウンを図ることができる。
【手続補正１２】
【補正対象書類名】明細書
【補正対象項目名】００２２
【補正方法】変更
【補正の内容】
【００２２】
請求項３に係る発明によれば、加えて、ダクトを、樹脂材料を用いて一体成形でつくるから、騒音の発生を小さくし、また排気ファンおよびダクトの組付けに必要な部品をできる限り一体化してさらに部品点数を削減するとともに、ダクトの組付けを簡単として、コストダウンを図ることができる。
【手続補正１３】
【補正対象書類名】明細書
【補正対象項目名】００２３
【補正方法】変更
【補正の内容】
【００２３】
請求項４に係る発明によれば、加えて、ファンユニットをダクト内に備え、そのダクトを画像形成装置本体内に設けるから、ファンユニットをダクトと画像形成装置本体の外装ハウジングとで被い、排気ファンの騒音が画像形成装置本体の外部へと漏れ出ることを防止することができ、例えば騒音レベルの許容基準が法的に設けられている場合でも、それをクリアすることができる。
また、ダクトが、そのダクト内でファンユニットを弾性保持するための弾性保持部を有するから、ファンユニットを画像形成装置本体内でダクトを介してしっかり固定し、ファンユニットの振動が伝わることを防いで騒音の発生を極力押さえる一方、ファンユニットの組付けに高価なゴム部品を介在させたりする必要なく、排気ファンの組付けを簡単として、コストダウンを図ることができる。
【手続補正１４】
【補正対象書類名】明細書
【補正対象項目名】００２４
【補正方法】変更
【補正の内容】
【００２４】
請求項５に係る発明によれば、ファンユニットのハーネスに取り付けたコネクタをダクトで保持するから、加えて、ハーネスの処理を含めて全体をユニット化して、たとえば故障の際に交換したり、点検の際に取り出したりするとき、取り扱いを簡便とすることができる。また、コネクタを接続したり外したりする操作を簡単に行うことができる。
【手続補正１５】
【補正対象書類名】明細書
【補正対象項目名】００２５
【補正方法】変更
【補正の内容】
【００２５】
請求項６に係る発明によれば、画像形成装置本体内で取付部と弾性固定部とで固定してダクトを空中に浮かした状態で支持するから、ファンユニットの振動が画像形成装置本体に伝わることを防いで、騒音の発生を極力押さえることができる。
また、請求項７に係る発明によれば、請求項１、２、３、４、５、または６に記載の排気装置を備えるから、上記効果を有する排気装置を備えた画像形成装置を提供することができる。